(57)【要約】【課題】リモコン装置１の操作面部３１を外方に突き出した板状にし、かつその操作面部３１を曲面にすると、周縁３１ａ，３１ｂが曲線になり、後半部材２と前半部材３の接合線４が従来のリモコン装置のように直線であるとデザイン上違和感が生じる。【解決手段】接合線４を周縁３１ａ，３１ｂに合わせて曲線になるようにした。【選択図】  図１
2004301421.tif 000002
【特許請求の範囲】
【請求項１】
壁面に固定される後半部材と、この後半部材に連結される前半部材とからなり、前半部材の前面を操作面部とし、この操作面部に操作スイッチおよび表示部を設けたリモコン装置において、操作面部の周縁が前半部材の外周面より外方に突出させ、正面から観察した際に外周面部の突出した部分で前半部材の外周面を隠すようにしたことを特徴とするリモコン装置。
【請求項２】
上記操作面部の周縁が曲線になるように成形すると共に、後半部材と前半部材との接合部が外周面に現れる接合線を、操作面部の周縁の形状に合わせて曲線となるようにしたことを特徴とする請求項１に記載のリモコン装置。
【請求項３】
上記操作面部を曲面としたことを特徴とする請求項１または請求項２に記載のリモコン装置。
【請求項４】
上記曲面とは、操作面部の中央部分から放射状に拡がるにつれて後退する球面であることを特徴とする請求項３に記載のリモコン装置。
【請求項５】
上記後半部材と前半部材とを色が相違する樹脂で成形したことを特徴とする請求項１から請求項４のいずれかに記載のリモコン装置。
【発明の詳細な説明】
【０００１】
【発明の属する技術分野】
本発明は、例えば給湯装置の作動を制御するためのリモコン装置に関する。
【０００２】
【従来の技術】
従来のこのようなリモコン装置は直方体形状に成形されているのが一般的であり、壁面に固定される後半部材と、この後半部材に連結される前半部材とから形成されている。前半部材の操作面部には制御用のスイッチ類が取り付けられており、かつ作動状態を表示する表示部が設けられている。
【０００３】
後半部材と前半部材とは共に白色または乳白色などの同色の樹脂で成形されており、後半部材と前半部材との接合部は接合線となって外周面に露出している。
また、この接合線は外周面に直線として露出することになる（例えば特許文献１から特許文献３を参照）。
【０００４】
【特許文献１】
特開平７−１３１８７２号公報（図１）
【０００５】
【特許文献２】
特開平１１−１４４５４３号公報（図２）
【０００６】
【特許文献３】
特開２００２−１２２３５０号公報（図６）
【０００７】
【発明が解決しようとする課題】
上記各特許文献に記載されているような従来のリモコン装置は上述のように直方体であるため、壁面に取り付けた状態で操作面部から外周面にかけて、すべてが露出するため、リモコン装置の使用者はリモコン装置の厚みをそのまま視覚を通して感じることになる。そのため、リモコン装置から受ける印象が重たくなり、デザインが使用者に受け入れられなくなる。
【０００８】
ここで、前半部材の操作面部を外周面の位置より外方に突出させると、リモコン装置を正面から観察した場合、リモコン装置の外周面は操作面部の突出した部分の陰に隠れて、操作面部だけが壁面からあたかも浮いているように認識される。その結果、薄いリモコン装置が壁面から浮き上がって取り付けられているように見える。
【０００９】
また、操作面部を形成する樹脂の色を複数種類設定しておき、使用者の嗜好によって前半部材の色を選択できるようにすることも考えられる。さらに、操作面部の周縁を直線ではなく曲線になるように成形すればさらにデザイン的に優れたものとなる。
【００１０】
ただし、上述のように前半部材を形成する樹脂の色を複数種類設定しておくが、後半部材は正面から観察した場合には操作面部に隠れて見えないこともあり、前半部材の色が変わっても後半部材は一色の共通のものを用いることがコスト的に望ましい。
【００１１】
ところが、リモコン装置を斜めから観察すると操作面部の後に後半部材と前半部材との接合部による接合線が見える場合が生じる。この接合線が従来のもののように直線であれば、特に操作面部の周縁を曲線にした場合には、操作面部の周縁の曲線と接合線の直線とが重なって観察される状態では使用者に違和感が生じる。
【００１２】
そこで本発明は、上記の問題点に鑑み、上述の問題が生じないリモコン装置を提供することを課題とする。
【００１３】
【課題を解決するための手段】
上記課題を解決するために本発明によるリモコン装置は、壁面に固定される後半部材と、この後半部材に連結される前半部材とからなり、前半部材の前面を操作面部とし、この操作面部に操作スイッチおよび表示部を設けたリモコン装置において、操作面部の周縁が前半部材の外周面より外方に突出させ、正面から観察した際に外周面部の突出した部分で前半部材の外周面を隠すようにしたことを特徴とする。
【００１４】
このように構成することにより、リモコン装置は操作面部だけからなり、かつリモコン装置が取り付けられる壁面から浮き上がっているように観察されるという視覚効果を得ることができる。
【００１５】
なお、上記操作面部の周縁が曲線になるように成形された場合には、後半部材と前半部材との接合部が外周面に現れる接合線を、操作面部の周縁の形状に合わせて曲線となるようにすることが望ましい。
【００１６】
上記操作面部を曲面としてもよく、特に、操作面部の中央部分から放射状に拡がるにつれて後退する球面としてもよい。
【００１７】
上記後半部材と前半部材とを色が相違する樹脂で成形してもよい。
【００１８】
【発明の実施の形態】
図１を参照して、１は本発明によるリモコン装置である。本リモコン装置１は図外の給湯装置に内蔵された制御ユニットと通信線を介して接続され、給湯装置の作動を制御するためのものである。なお、このリモコン装置１は台所の壁面や浴室の壁面に取り付けられるものである。
【００１９】
さらに図２および図３を参照して、このリモコン装置１は壁面Ｗに固定される後半部材２とこの後半部材２に対して前方から結合される前半部材３とから構成されている。なお、このリモコン装置１の背面には図示しない給湯装置の制御部に対して電力線および通信線束Ｃを介して接続されている。
【００２０】
前半部材３は前面の操作面部３１とその後方に連結されている基体３２とから構成されている。操作面部３１には給湯装置の制御を行うのに必要な各種スイッチ類が取り付けられており、また給湯装置の作動状態や設定温度などを表示するための表示部が設けられている。
【００２１】
この操作面部３１は、基体３２の外周面よりも全周にわたって外側に突出するように形成されている。この板状の操作面部３１は基体３２と一体に形成されている。従って、所定の色の樹脂を用いて前半部材３を成形すると、前半部材３全体がその所定の一色になる。
【００２２】
この前半部材３は使用者にもっとも観察される部位であるので、色の相違する複数種類の前半部材３を作成しておき、使用者の希望する色の前半部材３を選択し、その選択した前半部材３を後半部材２に結合させる。なお、図示のように前半部分３の基体３２と後半部分２とは共に前後方向から見た形状が同一であり、両者の接合部には段差が生じることが無く接合線４が外部に露出する。
【００２３】
後半部材２はリモコン装置１を正面から観察した場合には、操作面部３１に隠れて見えないほどのあまり目立たない部材である。そのため前半部材３の色が変わっても後半部材２は色替えせず、例えば白色か乳白色の１種類のものを用いる。
【００２４】
また、本実施の形態では、操作面部３１は中央部分から放射状に外側に向かって操作面部３１が順次後退する球面とした。そのため、左右の周縁３１ａおよび上下の周縁３１ｂは共に前後に曲がった曲線になる。
【００２５】
後半部材２と前半部材３との接合線４を、これら周縁３１ａ，３１ｂに合わせて曲線とした。このように接合線４を曲線にしたので、リモコン装置１を斜めから観察した際に、操作面部３１の後方に接合線４が見えても、周縁３１ａ，３１ｂと接合線４とが同じように曲線となるので、接合線４が目立たない。
【００２６】
また、操作面３１を球面としたが、球面以外の他の曲面に形成してもよく、例えば操作面部３１を中央部分から左右方向に向かって順次後退する円筒面の一部のような曲面に形成してもよい。なお、このような曲面に形成した場合には、接合線４のうち上下部分を曲線にすればよいが、下面の接合線４はあまり観察されないので上面の接合線４のみを曲線になるように形成してもよい。
【００２７】
なお、上記実施の形態では、操作面部３１を曲面にしたが、図４に示すように平面にしてもよい。この実施の形態では、周縁３１ａ、３１ｂを中央部分が突出する曲線としたので、接合線４はこれら周縁３１ａ、３１ｂに合わせて、後方に凸状になるような曲線にした。
【００２８】
【発明の効果】
以上の説明から明らかなように、本発明は、操作面部が外周面よりも外側に張り出すように成形したので、リモコン装置の操作面部以外の部分が操作面部に隠れて、薄いリモコン装置が壁面から浮いて取り付けられているように見える。
【００２９】
接合線を操作面部の周縁に形状に合わせて曲線になるようにしたので、斜めから観察した際に後半部材と前半部材との接合線が見えてもデザイン上違和感が生じない。
【図面の簡単な説明】
【図１】本発明の一実施の形態の構成を示す斜視図
【図２】リモコン装置の側面図
【図３】リモコン装置の平面図
【図４】他の実施の形態を示す斜視図
【符号の説明】
１  リモコン装置
２  後半部材
３  前半部材
４  接合部
３１  操作面部
【図１】
2004301421.tif 000003
【図２】
2004301421.tif 000004
【図３】
2004301421.tif 000005
【図４】
2004301421.tif 000006